(57)【特許請求の範囲】
【請求項１】
砂利、砂、セメント、水、混和剤の各種材料を計量槽にて計量し、計量した材料をミキサ内で混練して生コンクリートを製造する生コンクリート製造プラントにおいて、混和剤計量槽内に臨ませて配設した散水ノズルと、水計量槽内に臨ませて配設した散水ノズルと、前記各散水ノズルへの給水を制御する給水用制御弁と、貯水槽の水を前記散水ノズルに供給する水供給ポンプとを備えたことを特徴とする生コンクリート製造プラント。
【請求項２】
混和剤計量槽の散水ノズルの給水用制御弁は、混和剤計量槽からの混和剤放出直前に開放し、混和剤放出完了後に閉塞させて混和剤計量槽内の泡消しと洗浄を行うように制御されることを特徴とする請求項１記載の生コンクリート製造プラント。
【請求項３】
水計量槽の散水ノズルの給水用制御弁は、水計量槽内に水を多量に投入する水粗計量及び混和剤計量槽からの混和剤の投入後、水を少量づつ投入する水微計量中に開放し、該水微計量中に閉塞させて水計量槽内の泡消しを行うように制御されることを特徴とする請求項１または２記載の生コンクリート製造プラント。
【発明の詳細な説明】
【技術分野】
【０００１】
本発明は、砂利、砂、セメント、水、混和剤等の各種材料を混練して生コンクリートを製造する生コンクリート製造プラントに関する。
【背景技術】
【０００２】
生コンクリート製造プラントにて生コンクリートを製造するときには、所望のコンクリートの配合に応じて砂利、砂、セメント、水、混和剤を計量槽にて計量しているが、界面活性剤よりなる混和剤は泡立ち易い性質を有しており、混和剤を混入させる水計量槽や混和剤計量槽の槽内には泡が発生しやすく、ときには泡が槽外にあふれ出て周囲を汚すこともある。そこで、特許文献１（特開２０００−３０１５２９号公報）では、貯水槽内の水を重力落下によって水計量槽に投入する粗計量用水配管、微計量用水配管のうち、微計量用水配管の先端部に水をシャワー状に放出させる散水ノズルを取付け、水計量槽内での混和剤の泡立ちをシャワー状の散水によって防ぐようにしている。
【先行技術文献】
【特許文献】
【０００３】
【特許文献１】特開２０００−３０１５２９号公報
【発明の概要】
【発明が解決しようとする課題】
【０００４】
しかしながら、前記のように水を少量ずつ放出する微計量用水配管の先端部に散水ノズルを取り付けて水を重力落下によりシャワー状に放出させる構成では、水計量槽内の泡をそれなりに消すことができるが、放出する水量が少ないのと重力落下であることにより泡消し効果も小さいと予想される。また、水計量槽内の泡を消すようにしているが、混和剤計量槽内に発生する泡を消すことは行われていない。
【０００５】
本発明は上記の点に鑑み、混和剤計量槽及び水計量槽内での混和剤の泡立ちを極力抑えることができる生コンクリート製造プラントを提供することを課題とする。
【課題を解決するための手段】
【０００６】
上記の課題を解決するために、本発明に係る請求項１記載の生コンクリート製造プラントでは、砂利、砂、セメント、水、混和剤の各種材料を計量槽にて計量し、計量した材料をミキサ内で混練して生コンクリートを製造する生コンクリート製造プラントにおいて、混和剤計量槽内に臨ませて配設した散水ノズルと、水計量槽内に臨ませて配設した散水ノズルと、前記各散水ノズルへの給水を制御する給水用制御弁と、貯水槽の水を前記散水ノズルに供給する水供給ポンプとを備えたことを特徴としている。
【０００７】
また、請求項２記載の生コンクリート製造プラントでは、混和剤計量槽の散水ノズルの給水用制御弁は、混和剤計量槽からの混和剤放出直前に開放し、混和剤放出完了後に閉塞させて混和剤計量槽内の泡消しと洗浄を行うように制御されることを特徴としている。
【０００８】
また、請求項３記載の生コンクリート製造プラントでは、水計量槽の散水ノズルの給水用制御弁は、水計量槽内に水を多量に投入する水粗計量及び混和剤計量槽からの混和剤の投入後、水を少量づつ投入する水微計量中に開放し、該水微計量中に閉塞させて水計量槽内の泡消しを行うように制御されることを特徴としている。
【発明の効果】
【０００９】
本発明に係る請求項１記載の生コンクリート製造プラントによれば、混和剤計量槽内に臨ませて配設した散水ノズルと、水計量槽内に臨ませて配設した散水ノズルと、前記各散水ノズルへの給水を制御する給水用制御弁と、貯水槽の水を前記散水ノズルに供給する水供給ポンプとを備えたので、供給ポンプにて加圧しながら混和剤計量槽及び水計量槽内に水を噴射することができ、混和剤の泡立ちを抑えることができる。
【００１０】
また、請求項２記載の生コンクリート製造プラントによれば、混和剤計量槽の散水ノズルの給水用制御弁は、混和剤計量槽からの混和剤放出直前に開放し、混和剤放出完了後に閉塞させて混和剤計量槽内の泡消しと洗浄を行うように制御されるので、混和剤計量槽内の泡消しと洗浄を効果的に行うことができる。
【００１１】
また、請求項３記載の生コンクリート製造プラントによれば、水計量槽の散水ノズルの給水用制御弁は、水計量槽内に水を多量に投入する水粗計量及び混和剤計量槽からの混和剤の投入後、水を少量づつ投入する水微計量中に開放し、該水微計量中に閉塞させて水計量槽内の泡消しを行うように制御されるので、水計量槽内の泡消しを効果的に行うことができる。
【図面の簡単な説明】
【００１２】
【図１】本発明に係る生コンクリート製造プラントの一実施例を示す混和剤計量槽及び水計量槽付近の概略説明図である。
【図２】混和剤計量槽の泡消し手順を示すフローチャートである。
【図３】水計量槽の泡消し手順を示すフローチャートである。
【発明を実施するための形態】
【００１３】
本発明に係る生コンクリート製造プラントにあっては、混和剤計量槽内に臨ませて散水ノズルを配設すると共に、水計量槽内に臨ませて散水ノズルを配設する一方、前記各散水ノズルへの給水を制御する給水用制御弁と、貯水槽の水を散水ノズルに供給する水供給ポンプとを配設する。
【００１４】
混和剤計量槽の散水ノズルの給水用制御弁は、混和剤計量槽からの混和剤放出直前に開放し、混和剤放出完了後に閉塞させるように制御する。また、水計量槽の散水ノズルの給水用制御弁は、水微計量中に水計量槽内の泡消しを行うように開放、閉塞させるように制御する。
【００１５】
そして、混和剤計量槽においては、計量した混和剤の放出前に給水用制御弁が開放されると共に水供給ポンプが駆動され、散水ノズルから混和剤計量槽内に向けて水がシャワー状に広範囲に噴射されて槽内の泡消しが行われる。続いて混和剤が放出されると、散水ノズルから引き続き噴射される水によって混和剤が洗い流されて槽内をきれいに洗浄する。
【００１６】
また、水計量槽においては、水を多量に投入する水粗計量が完了すると、前記混和剤計量槽から混和剤が放出されて水計量槽に投入されることで槽内が泡立つこととなる。続いて水を少量づつ投入する微計量が開始されると、散水ノズルの給水用制御弁が開放されて水計量槽内に向けて水がシャワー状に広範囲に噴射されて槽内の泡消しが行われる。この散水ノズルからの水噴射は微計量中に停止される。
【００１７】
このように、水供給ポンプにて加圧しながら混和剤計量槽及び水計量槽内にタイミング良く水を噴射させることによって、混和剤計量槽及び水計量槽内における混和剤の泡立ちを効果的に抑えることができる。
【実施例】
【００１８】
以下、本発明の一実施例を図面に基づいて説明する。
【００１９】
図１中の１は生コンクリート製造プラントに備えられる混和剤計量槽であって、ロードセル２にて支持されてＡＥ剤やＡＥ減水剤などの混和剤を計量する。混和剤計量槽１には混和剤の供給配管３を臨ませると共に、該供給配管３の途中には混和剤の供給を制御する制御弁４を配設する一方、シリンダー５によって混和剤計量槽１の放出口を開放、閉塞する放出弁６を備えている。
【００２０】
混和剤計量槽１の下位には、ロードセル７にて支持した水計量槽８を配設しており、該水計量槽８には上位の貯水槽９内の水を多量に投入する管径の太い粗計量用水配管１０、及び少量ずつの水を投入する管径の細い微計量用水配管１１を臨ませると共に、それぞれの水配管１０、１１には水の供給を制御する制御弁１２、１３を配設する一方、水計量槽８の下部には水放出用の制御弁１４を備えている。
【００２１】
また、混和剤計量槽１内に臨ませて散水ノズル１５を配設する一方、水計量槽８内に臨ませて散水ノズル１６を配設しており、該散水ノズル１５、１６は配管１７によって貯水槽９内の水供給ポンプ１８に連結されると共に、配管１７途中には圧力及び流量を調節できる水用レギュレータ１９、及び散水ノズル１５、１６への水の供給を制御する給水用制御弁２０、２１を配設している。なお、散水ノズル１５、１６は、混和剤計量槽１、水計量槽８の槽内広範囲に散水できるように適宜数取り付けるようにすると良い。
【００２２】
前記混和剤計量槽１の散水ノズル１５の給水用制御弁２０は、混和剤計量槽１からの混和剤放出直前に開放し、混和剤放出完了後に閉塞させるように制御し、また、水計量槽８の散水ノズル１６の給水用制御弁２１は、水微計量中に水計量槽８内の泡消しを行うように開放、閉塞させるように制御している。なお、水供給ポンプ１８は、給水用制御弁２０、２１のいずれかが開放時には駆動するようにしている。
【００２３】
図２及び図３は、混和剤計量槽１及び水計量槽８の泡消しを行うときの手順を示すフローチャートであり、この手順が図示しない制御装置にプログラミングされている。このフローチャートに基づいて泡消し手順を説明する。なお、図中のＳ１〜Ｓ１８は各ステップを表している。
【００２４】
図２は混和剤計量槽１の泡消し手順であり、混和剤計量槽１にて計量した混和剤の放出時に泡消しを行うようにしている。なお、混和剤放出待ちタイマーと散水ノズル噴射タイマーを備えることで、混和剤の放出タイミングと散水時間を任意に設定可能としている。
【００２５】
先ず、混和剤計量槽１にて所定量の混和剤を計量後、混和剤の放出信号が発信されると（Ｓ１）、混和剤放出待ちタイマー（例えば２〜３秒）をスタートさせる（Ｓ２）と共に、散水ノズル噴射タイマー（例えば１０秒）をスタートさせる（Ｓ３）。これと同時に、水供給ポンプ１８を駆動しながら制御弁２０を開放して散水ノズル１５より水をシャワー状に噴射して混和剤計量槽１内の泡消しを行う（Ｓ４）。
【００２６】
そして、混和剤放出待ちタイマーがタイムアップすれば（Ｓ５）、混和剤計量槽１の放出弁６を開放して混和剤の放出を開始する（Ｓ６）。このとき、散水ノズル１５よりの散水が継続しており、混和剤を水計量槽８に流し込むと同時に混和剤計量槽１内の洗浄が行われる。そして、散水ノズル噴射タイマーがタイムアップすれば（Ｓ７）、制御弁２０を閉塞して散水ノズル１５よりの散水を停止し（Ｓ８）、混和剤計量槽１内の泡消し・洗浄を完了する。この混和剤計量槽１内の泡消し・洗浄は、混和剤を計量・放出する毎に繰り返し行われる。
【００２７】
図３は水計量槽８の泡消し手順であり、水計量槽８にて水計量時に泡消しを行うようにしている。なお、散水ノズル噴射タイマーを備えることで、散水時間を任意に設定可能としている。
【００２８】
先ず、水計量槽８にて管径の太い粗計量用水配管１０の制御弁１２を開放して水の粗計量を開始し（Ｓ９）、水の計量値が計量設定値に対して９０％に達すれば制御弁１２を閉塞して水粗計量を完了し（Ｓ１０）、続いて前記した混和剤計量槽１から放出された混和剤が水計量槽８内に投入される（Ｓ１１）。続いて水微計量開始信号を発信し（Ｓ１２）、管径の細い微計量用水配管１１の制御弁１３を開放して水の微計量を開始すると共に（Ｓ１３）、散水ノズル噴射タイマー（例えば２〜３秒）をスタートさせ（Ｓ１４）、制御弁２１を開放して散水ノズル１６より散水を開始し、水計量槽８内の泡消しを行う（Ｓ１５）。
【００２９】
そして、散水ノズル噴射タイマーがタイムアップすれば（Ｓ１６）、制御弁２１を閉塞して散水ノズル１６よりの散水を停止して泡消しを完了する（Ｓ１７）。続いて、水の計量値が計量設定値に達すれば微計量用水配管１１の制御弁１３を閉塞して水微計量停止とし（Ｓ１８）、水の計量が完了する。この水計量槽８内の泡消しは、水を計量する毎に繰り返し行われる。
【００３０】
このように、混和剤計量槽１、水計量槽８では、水供給ポンプ１８にて加圧しながら散水ノズル１５、１６から水をシャワー状に広範囲に噴射することで、槽内での混和剤の泡立ちを抑えることができ、槽外に泡が溢れ出ることもない。
【００３１】
また、混和剤計量槽１では散水ノズル１５からの散水を混和剤放出直前に開始して混和剤放出完了後に完了させることで、混和剤計量槽１内の泡消しと混和剤放出後の洗浄を効率よく行うことができる。
【００３２】
更に、水計量槽８では、水を勢いよく投入する粗計量後に混和剤を投入することで混和剤の泡立ちを極力少なくし、微計量中に散水ノズル１６から散水を行うことで、水計量槽８内の泡消しを効率よく行うことができる。
【符号の説明】
【００３３】
１…混和剤計量槽                  ６…放出弁
８…水計量槽                      ９…貯水槽
１０…粗計量用水配管                １１…微計量用水配管
１５、１６…散水ノズル              １７…配管
１８…水供給ポンプ                  １９…水用レギュレータ
２０、２１…給水用制御弁
【図１】
0005429971.tif 000002
【図２】
0005429971.tif 000003
【図３】
0005429971.tif 000004